(57)【要約】  本発明は、１つの噴射口１１０と、第１、第２、第３の流入口１１１、１１２、１１３とを有するノズル１００と、一端が前記ノズル１００の第１の流入口１１１に連結されるメインエアーライン２００と、一端が前記メインエアーライン２００の他端から分岐され、第１のレギュレータ２１１と第１のソレノイドバルブ２１２とを有し、他端がエアー供給源２５０に連結される第１のエアーライン２１０と、一端が前記メインエアーライン２００の他端から分岐され、第２のレギュレータ２２１と第２のソレノイドバルブ２２２とを有し、他端が前記エアー供給源２５０に連結される第２のエアーライン２２０と、一端が前記ノズル１００の第２の流入口１１２に連結され、他端が水供給源３５０に連結されるウォーターライン３００と、一端が前記ノズル１００の第３の流入口１１３に連結され、第３のレギュレータ２３１と第３のソレノイドバルブ２３２とを有し、他端が前記エアー供給源２５０に連結される第３のエアーライン２３０と、を備え、風を噴射する場合、第１のソレノイドバルブ２１２又は第２のソレノイドバルブ２２２が開弁され、第３のソレノイドバルブ２３２は、閉弁状態を維持し、水を噴射する場合、前記第３のソレノイドバルブ２３２と前記第１のソレノイドバルブ２１２とが、又は、前記第３のソレノイドバルブ２３２と第２のソレノイドバルブ２２２とが、同時に開弁状態に維持される、４Ｄ効果のための水と風の噴射装置に関する。【選択図】  図１
2015511142.tif 000002
【特許請求の範囲】
【請求項１】
１つの噴射口（１１０）と、第１、第２、第３の流入口（１１１、１１２、１１３）とを有するノズル（１００）と、
一端が前記ノズル（１００）の第１の流入口（１１１）に連結されるメインエアーライン（２００）と、
一端が前記メインエアーライン（２００）の他端から分岐され、第１のレギュレータ（２１１）と第１のソレノイドバルブ（２１２）とを有し、他端がエアー供給源（２５０）に連結される第１のエアーライン（２１０）と、
一端が前記メインエアーライン（２００）の他端から分岐され、第２のレギュレータ（２２１）と第２のソレノイドバルブ（２２２）とを有し、他端が前記エアー供給源（２５０）に連結される第２のエアーライン（２２０）と、
一端が前記ノズル（１００）の第２の流入口（１１２）に連結され、他端が水供給源（３５０）に連結されるウォーターライン（３００）と、
一端が前記ノズル（１００）の第３の流入口（１１３）に連結され、第３のレギュレータ（２３１）と第３のソレノイドバルブ（２３２）とを有し、他端が前記エアー供給源（２５０）に連結される第３のエアーライン（２３０）と、を備え、
風を噴射する場合、第１のソレノイドバルブ（２１２）又は第２のソレノイドバルブ（２２２）が開弁され、第３のソレノイドバルブ（２３２）は、閉弁状態を維持し、
水を噴射する場合、前記第３のソレノイドバルブ（２３２）と前記第１のソレノイドバルブ（２１２）とが、又は、前記第３のソレノイドバルブ（２３２）と第２のソレノイドバルブ（２２２）とが、同時に開弁状態に維持されることを特徴とする４Ｄ効果のための水と風の噴射装置。
【請求項２】
前記第１、第２、第３のソレノイドバルブ（２１２、２２２、２３２）は、空圧ソレノイドバルブからなることを特徴とする請求項１に記載の４Ｄ効果のための水と風の噴射装置。
【請求項３】
前記ウォーターライン（３００）は、流量を調節可能な流量調節バルブをさらに備えることを特徴とする請求項２に記載の４Ｄ効果のための水と風の噴射装置。
【請求項４】
メインコントローラ（４００）において水又は風を噴射するか否かを決定するステップ（Ｓ１）と、
前記水又は風を噴射することに決定された場合、噴射される水又は風の噴射強度を決定するステップ（Ｓ２）と、
前記噴射強度の決定信号に応じて、第１のソレノイドバルブ（２１２）、第２のソレノイドバルブ（２２２）及び第３のソレノイドバルブ（２３２）の相互間において開弁するか否か又は閉弁するか否かを決定するステップ（Ｓ３）と、
前記第１、第２、第３のソレノイドバルブ（２１２、２２２、２３２）の相互間における開弁するか否か又は閉弁するか否かの決定に応じて、水又は風がノズルの噴射口（１１０）から噴射されるステップ（Ｓ４）と、
を含むことを特徴とする４Ｄ効果のための水と風の噴射方法。
【請求項５】
前記第１、第２、第３のソレノイドバルブの相互間において開弁するか否か又は閉弁するか否かを決定するステップ（Ｓ３）は、
強風を噴射する場合は、前記第１のソレノイドバルブ（２１２）のみを開弁し、前記第２のソレノイドバルブ（２２２）と前記第３のソレノイドバルブ（２３２）とは、閉弁し、
弱風を噴射する場合は、前記第２のソレノイドバルブ（２２２）のみを開弁し、前記第１のソレノイドバルブ（２１２）と前記第３のソレノイドバルブ（２３２）とは、閉弁し、
水を強く噴射する場合は、前記第１のソレノイドバルブ（２１２）と前記第３のソレノイドバルブ（２３２）とは開弁し、前記第２のソレノイドバルブ（２２２）は、閉弁し、
水を弱く噴射する場合は、前記第２のソレノイドバルブ（２２２）と前記第３のソレノイドバルブ２３２とは開弁し、前記第１のソレノイドバルブ（２１２）は、閉弁することを特徴とする請求項４に記載の４Ｄ効果のための水と風の噴射方法。
【発明の詳細な説明】
【技術分野】
【０００１】
本発明は、４Ｄ効果のための水と風の噴射装置及び噴射方法に関し、より詳細には、噴射される水と風の強弱調節が可能であり、１つのノズルから水と風を噴射することができる、４Ｄ効果のための水と風の噴射装置及び噴射方法に関する。
【背景技術】
【０００２】
従来、映画館のような映像物の上映施設では、単に映像物のみを観客に上映していたが、最近、映像物の上映と共に種々の効果を観客に提供するようになっている。即ち、従来、映画館は、一般に、単純に映像物を視聴覚的に観覧する場所であったが、最近の映画館は、映像物の視覚的な観覧と共に、種々の効果を直接体験し得る場所に発展している。
【０００３】
一般に、特殊撮影された映像物を観覧しながら映像物の立体感を視覚的に感じることができる映画館は、一般に、「３Ｄ映画館」と呼ばれているが、これとは別に、視聴覚の他に触覚、臭覚などを刺激して五感で映像物を観覧することができる映画館が、「４Ｄ映画館」と呼ばれている。
【０００４】
このような４Ｄ映画館としては、１９８９年米国で開場したＲｉｐｌｅｙ’ｓ  Ｍｏｖｉｎｇ  Ｔｈｅａｔｅｒが最初であるといわれている。この上映館では、２０分間の特殊製作した映像物を上映すると共に、映像物の内容に合う特殊効果として、雨、風、雪を観覧客が直接体験し得るように具現して提供していた。
【０００５】
一般に、このような従来の４Ｄ映画館において水や風を観客に噴射する装置は、２つ以上のノズルから構成され、水と風とはそれぞれ別のノズルから噴射されていた。この場合、噴射装置の構成が複雑化し、製作コストが増加し、装置のメンテナンスに難があった。
【０００６】
４Ｄ映画館において、風は、観客へ噴射しても、噴射後、特に問題がないが、水の場合は、多量の水が噴射されると、観客の衣服が水に濡れたり、不快感を与えることがあり、適量の水を噴射する必要がある。しかし、従来の噴射装置では、相対的に高価なウォーターソレノイドバルブ（ｗａｔｅｒ  ｓｏｌｅｎｏｉｄ  ｖａｌｖｅ）を必須構成要素として含み、噴射装置の製造単価が相対的に高く、水噴射量の正確な制御を行うことが困難であるという問題点があった。
【発明の概要】
【発明が解決しようとする課題】
【０００７】
本発明は、上記の問題点を解決するためになされたものであって、本発明の目的は、３つのソレノイドバルブの相互間における開弁又は閉弁状態に応じて、ノズルの噴出口から噴射される水と風の強弱調節を行うことが可能で、かつ１つのノズルから水と風とを噴射することが可能である、４Ｄ効果のための水と風の噴射装置及び噴射方法を提供することにある。
【課題を解決するための手段】
【０００８】
本発明の目的を達成するための本発明に係る４Ｄ効果のための水と風の噴射装置は、１つの噴射口と、第１、第２、第３の流入口とを有するノズルと、一端が前記ノズルの第１の流入口に連結されるメインエアーラインと、一端が前記メインエアーラインの他端から分岐され、第１のレギュレータと第１のソレノイドバルブとを有し、他端がエアー供給源に連結される第１のエアーラインと、一端が前記メインエアーラインの他端から分岐され、第２のレギュレータと第２のソレノイドバルブとを有し、他端が前記エアー供給源に連結される第２のエアーラインと、一端が前記ノズルの第２の流入口に連結され、他端が水供給源に連結されるウォーターラインと、一端が前記ノズルの第３の流入口に連結され、第３のレギュレータと第３のソレノイドバルブとを有し、他端が前記エアー供給源に連結される第３のエアーラインと、を備え、風を噴射する場合、第１のソレノイドバルブ又は第２のソレノイドバルブが開弁され、第３のソレノイドバルブは、閉弁状態を維持し、水を噴射する場合、第３のソレノイドバルブと前記第１のソレノイドバルブとが、又は、前記第３のソレノイドバルブと第２のソレノイドバルブとが、同時に開弁状態に維持されることを特徴とする。
【０００９】
また、本発明に係る４Ｄ効果のための水と風の噴射装置の好適な他の実施例では、第１、第２、第３のソレノイドバルブは、空圧ソレノイドバルブからなることができる。
【００１０】
また、本発明に係る４Ｄ効果のための水と風の噴射装置の好適な他の実施例では、ウォーターラインは、流量を調節し得る流量調節バルブをさらに備えることができる。
【００１１】
本発明の他の目的を達成するため、本発明に係る４Ｄ効果のための水と風の噴射方法は、メインコントローラにおいて水又は風を噴射するか否かを決定するステップと、前記水又は風を噴射することに決定された場合、噴射される水又は風の噴射強度を決定するステップと、前記噴射強度の決定信号に応じて、第１のソレノイドバルブ、第２のソレノイドバルブ及び第３のソレノイドバルブの相互間において開弁するか否か又は閉弁するか否かを決定するステップと、前記第１、第２、第３のソレノイドバルブの相互間において開弁するか否か又は閉弁するか否かの決定に応じて、水又は風がノズルの噴射口から噴射されるステップと、を含む。
【００１２】
また、本発明に係る４Ｄ効果のための水と風の噴射方法の好適な他の実施例では、第１、第２、第３のソレノイドバルブの相互間において開弁するか否か又は閉弁するか否かを決定するステップは、強風を噴射する場合は、前記第１のソレノイドバルブのみを開弁し、前記第２のソレノイドバルブと前記第３のソレノイドバルブとは、閉弁し、弱風を噴射する場合は、前記第２のソレノイドバルブのみを開弁し、前記第１のソレノイドバルブと前記第３のソレノイドバルブとは、閉弁し、水を強く噴射する場合は、前記第１のソレノイドバルブと前記第３のソレノイドバルブとは、開弁し、前記第２のソレノイドバルブは、閉弁し、水を弱く噴射する場合は、前記第２のソレノイドバルブと前記第３のソレノイドバルブとは、開弁し、前記第１のソレノイドバルブは、閉弁することを特徴とする。
【発明の効果】
【００１３】
本発明によれば、水と風とが、一体型ノズル、即ち１つのノズルから噴射され、噴射装置の構成を単純化し、かつ小型化することができ、製作コスト及びメンテナンスコストを削減することができるという効果が得られる。
【００１４】
また、本発明によれば、空圧ソレノイドバルブを採用することにより、製作コストを節減し、空圧ソレノイドバルブと油圧制御バルブを通じて噴射される水の量と強度を正確に調節することができるという効果が得られる。
【図面の簡単な説明】
【００１５】
【図１】本発明の好適な実施例に係る４Ｄ効果のための水と風の噴射装置を示す構成図である。
【図２】本発明の好適な実施例に係る４Ｄ効果のための水と風の噴射方法を示すフローチャートである。
【発明を実施するための形態】
【００１６】
本発明の好適な実施例を添付の図面を参照して詳述する。なお、各図面において参照符号を付すが、同じ構成要素には、同じ参照符号を付している。
【００１７】
図１は、本発明の好適な実施例に係る４Ｄ効果のための水と風の噴射装置１を示す構成図である。本発明に係る４Ｄ効果のための水と風の噴射装置１は、ノズル（ｎｏｚｚｌｅ）１００、メインエアーライン（ｍａｉｎ  ａｉｒ  ｌｉｎｅ）２００、メインエアーライン２００から分岐される第１のエアーライン（ｆｉｒｓｔ  ａｉｒ  ｌｉｎｅ）２１０及び第２のエアーライン（ｓｅｃｏｎｄ  ａｉｒ  ｌｉｎｅ）２２０、ウォーターライン（ｗａｔｅｒ  ｌｉｎｅ）３００、並びに第３のエアーライン（ｔｈｉｒｄ  ａｉｒ  ｌｉｎｅ）２３０から構成される。
【００１８】
以下、図１を参照して、本発明の好適な実施例に係る４Ｄ効果のための水と風の噴射装置の構成を説明する。
【００１９】
ノズル１００は、１つの噴射口１１０及び３つの流入口１１１、１１２、１１３を有する。好ましくは、噴射口１１０は、ノズル１００の前面に位置し、第１、第２、第３の流入口１１１、１１２、１１３は、ノズル１００の側面と後面、又はノズル１００の側面と下面に形成されることができる。
【００２０】
メインエアーライン２００の一端が、ノズル１００の第１の流入口１１１に連結され、メインエアーライン２００の他端は、第１のエアーライン２１０と第２のエアーラインとに分岐される。
【００２１】
第１のエアーライン２１０の一端は、メインエアーライン２００の他端から分岐され、第１のエアーライン２１０の他端は、エアー供給源２５０に連結される。第１のレギュレータ（ｆｉｒｓｔ  ｒｅｇｕｌａｔｏｒ）２１１と第１のソレノイドバルブ（ｆｉｒｓｔ  ｓｏｌｅｎｏｉｄ  ｖａｌｖｅ）２１２とが第１のエアーライン２１０の一部に設けられている。
【００２２】
第２のエアーライン２２０は、第１のエアーライン２１０と同様に、その一端がメインエアーライン２００の他端から分岐され、第２のエアーライン２２０の他端は、エアー供給源２５０に連結される。第２のレギュレータ（ｓｅｃｏｎｄ  ｒｅｇｕｌａｔｏｒ）２２１と第２のソレノイドバルブ（ｓｅｃｏｎｄ  ｓｏｌｅｎｏｉｄ  ｖａｌｖｅ）２２２とが、第２のエアーライン２２０の一部に設けられている。
【００２３】
ウォーターライン３００の一端は、ノズル１００の第２の流入口１１２に連結され、前記ウォーターライン３００の他端は、水供給源３５０に連結される。本発明の一実施例において、前記水供給源３５０は、公共水道施設であることができる。本発明の好適な他の実施例において、ウォーターライン３００の一部に、流量を調節し得る流量調節バルブ３１０が設けられている。好ましくは、前記流量調節バルブ３１０は、ウォーターライン３００の一端が結合されるノズルの第２の流入口１１２に設けられている。
【００２４】
第３のエアーライン２３０の一端は、ノズル１００の第３の流入口１１３に連結され、前記エアーライン２３０の他端は、エアー供給源２５０に連結される。また、第３のレギュレータ（ｔｈｉｒｄ  ｒｅｇｕｌａｔｏｒ）２３１と第３のソレノイドバルブ（ｔｈｉｒｄ  ｓｏｌｅｎｏｉｄ  ｖａｌｖｅ）２３２とが、第３のエアーライン２３０の一部に設けられている。
【００２５】
本発明の一実施例において、前記エアー供給源２５０は、コンプレッサーから供給される空気が貯蔵されるエアータンク（ａｉｒ  ｔａｎｋ）であることができる。
【００２６】
また、本発明の好適な他の実施例において、第１、第２、第３のソレノイドバルブ２１２、２２２、２３２は、空圧ソレノイドバルブからなることができる。これにより、空圧ソレノイドバルブに比べて相対的に高価なウォーターソレノイドを使用する必要がなく、製造コストを削減することができる。
【００２７】
図示していないが、好ましくは、メインエアーライン２００、第１、第２、第３のエアーライン２１０、２２０、２３０及び／又はウォーターライン３００上において多数のフィルタを設けることができる。このようなフィルタを通過して浄化された風と水が、観覧客に噴射されるようになる。
【００２８】
風を噴射する場合、第３のソレノイドバルブ２３２は、閉弁状態で、噴射される風の強さに応じて、第１のソレノイドバルブ２１２又は第２のソレノイドバルブ２２２が開弁される。すなわち、強風を噴射する場合、第３のソレノイドバルブ２３２と第２のソレノイドバルブ２２２とは閉弁され、第１のソレノイドバルブ２１２のみが開弁された状態で、ノズル１１０の噴射口１１０から強い風が噴射される。弱風を噴射する場合は、第３のソレノイドバルブ２３２と第１のソレノイドバルブ２１２とは閉弁され、第２のソレノイドバルブ２２２のみが開弁された状態で、ノズル１００の噴射口１１０から弱い風が噴射される。なお、本発明の好適な実施例において、強風は、約７ｂａｒの圧力で、弱風は、約３ｂａｒの圧力で噴射されるが、これらに限定されない。
【００２９】
水を噴射する場合、第３のソレノイドバルブ２３２と第１のソレノイドバルブ２１２とが、又は、第３のソレノイドバルブ２３２と第２のソレノイドバルブ２２２とが、同時に開弁される。すなわち、水を強く噴射する場合は、第３のソレノイドバルブ２３２と第１のソレノイドバルブ２１２とが同時に開弁され、第２のソレノイドバルブ２２２は、閉弁された状態で、空気圧によりノズル１００の噴射口１１０から水が強く噴射される。水を弱く噴射する場合は、第３のソレノイドバルブ２３２と第２のソレノイドバルブ２２２とが同時に開弁され、第１のソレノイドバルブ２１２は、閉弁された状態で、空気圧によりノズル１００の噴射口１１０から水が弱く噴射される。なお、本発明による４Ｄ効果のための水と風の噴射装置１は、観覧客が着座する座席の背面に位置させることが好ましいが、これに限定されない。
【００３０】
従って、本発明では、３つのソレノイドの相互間において、開弁又は閉弁状態に応じて、１つのノズル１００から、風を強く又は弱く、水を強く又は弱く噴射することができるため、使用されるノズル１００の個数を最小化して製造コスト及び製造時間を削減することができる。また、装備が小型化して、装備設置上の便宜性を提供する。
【００３１】
図２は、本発明の好適な実施例に係る４Ｄ効果のための水と風の噴射方法を示すフローチャートである。以下、図２を参照して、本発明の好適な実施例における４Ｄ効果のための水と風の噴射方法について説明する。
【００３２】
上映される映画の内容をコード化して、このコード化に応じて各装置に作動信号を伝達するメインコントローラ４００が、水又は風を噴射するか否かを決定する（Ｓ１）。前記メインコントローラ４００が、水又は風を噴射することに決定した場合、メインコントローラは、再度、噴射される水又は風の噴射強度を決定する（Ｓ２）。噴射される水又は風の噴射強度の決定信号によって、第１のソレノイドバルブ２１２、第２のソレノイドバルブ２２２、第３のソレノイドバルブ２３２の相互間において開弁するか否か又は閉弁するか否かが決定される（Ｓ３）。第１、第２、第３のソレノイドバルブ２１２、２２２、２３２の相互間における開弁又は閉弁の決定（Ｓ３）に応じて、水又は風がノズルの噴射口１１０から噴射される（Ｓ４）。
【００３３】
すなわち、第１、第２、第３のソレノイドバルブの相互間において開弁するか否か又は閉弁するか否かを決定するステップ（Ｓ３）は、強い風を噴射する場合は、第１のソレノイドバルブ２１２のみを閉弁し、第２のソレノイドバルブ２２２と第３のソレノイドバルブ２３２とは閉弁する。第１のソレノイドバルブ２１２が閉弁されることでエアー供給源２５０から流出された空気が第１のエアーライン２１０に沿って流れるようになり、この空気が、第１のレギュレータ２１１を経て約７ｂａｒの圧力でメインエアーライン２００を通過した後、ノズル１００の噴射口１１０から噴射されるようになる。弱い風を噴射する場合は、第２のソレノイドバルブ２２２のみを開弁し、第１のソレノイドバルブ２１２と第３のソレノイドバルブ２３２とは閉弁される。強い風を噴射する場合と同様に、第２のソレノイドバルブ２２２が開弁されることでエアー供給源２５０から流出された空気が第２のエアーライン２２０に沿って流れるようになり、この空気が、第２のレギュレータ２２１を経て約３ｂａｒの圧力でメインエアーライン２００を通過した後、ノズル１００の噴射口１１０に噴射されるようになる。
【００３４】
水を強く噴射する場合は、第１のソレノイドバルブ２１２と第３のソレノイド２３２とは開弁され、第２のソレノイドバルブ２２２は、閉弁される。水供給源３５０から供給される水が、ウォーターライン３００を通過した後、第３のエアーライン２３０から供給される強い空気圧によりノズル１００の噴射口１１０から強く噴射されるようになる。水を弱く噴射する場合は、第２のソレノイドバルブ２２２と第３のソレノイドバルブ２３２とは開弁され、第１のソレノイドバルブ２１２は、閉弁される。水を強く噴射する場合と同様に、水供給源３５０から供給される水が、ウォーターライン３００を通過した後、第３のエアーライン２３０から供給される弱い空気圧によりノズル１００の噴射口１１０から弱く噴射されるようになる。
【００３５】
なお、本発明は、図示の変形例と上記の実施例に限定されるものではなく、添付の請求範囲の範疇内に属する他の実施例に拡張して実施することができる。
【産業上の利用可能性】
【００３６】
本発明は、４Ｄ効果のための水と風の噴射装置及び噴射方法に関し、より詳しくは、噴射される水と風の強弱を調節することができ、１つのノズルから水と風とを噴射することができる、４Ｄ効果のための水と風の噴射装置及び噴射方法を提供する。
【符号の説明】
【００３７】
１：噴射装置、１００：ノズル、１１０：噴射口、１１１：第１の流入口、１１２：第２の流入口、１１３：第３の流入口、２００：メインエアーライン、２１０：第１のエアーライン、２１１：第１のレギュレータ、２１２：第１のソレノイドバルブ、２２０：第２のエアーライン、２２１：第２のレギュレータ、２２２：第２のソレノイドバルブ、２３０：第３のエアーライン、２３１：第３のレギュレータ、２３２：第３のソレノイドバルブ、２５０：エアー供給源、３００：ウォーターライン、３１０：流量調節バルブ、３５０：ウォーター供給源、４００：メインコントローラ
【図１】
2015511142.tif 000003
【図２】
2015511142.tif 000004
【国際調査報告】
2015511142.tif 000005
2015511142.tif 000006